(57)【特許請求の範囲】
【請求項１】
整流部と、第１電流制御部と、第２電流制御部と、蓄電素子と、充電電流制御部と、第１整流素子と、第２整流素子と、第３整流素子と、第４整流素子とを備え、
前記整流部は、一対の入力端子間に入力される正弦波の交流電圧を整流し、一対の出力端子間から脈流電圧を出力するように構成され、
前記第１電流制御部は、前記第１整流素子を介して前記一対の出力端子間に光源と直列かつ電気的に接続され、前記光源に流れる電流が第１規定値を超えないように前記電流を制御するように構成され、
前記充電電流制御部は、前記第２整流素子を介して前記第１電流制御部の両端間に前記蓄電素子と直列かつ電気的に接続され、前記蓄電素子に流れる充電電流を制御するように構成され、
前記第２整流素子は、前記光源を介し、かつ前記第１電流制御部を介さずに前記蓄電素子に前記充電電流を流すように構成され、
前記第３整流素子及び前記第４整流素子は、前記蓄電素子及び前記充電電流制御部の直列回路に直列かつ電気的に接続され、前記蓄電素子から放電される放電電流を前記光源に流すように構成され、
前記光源は、互いに直列かつ電気的に接続された第１光源及び第２光源からなり、
前記第２電流制御部は、一端が前記第１光源と前記第２光源との接続点に電気的に接続され、他端が前記一対の出力端子のうち低電位側の出力端子と前記第１整流素子との間に電気的に接続され、前記第１光源に流れる電流が第２規定値を超えないように前記電流を制御するように構成されることを特徴とする点灯装置。
【請求項２】
前記第２電流制御部は、前記一対の出力端子のうち低電位側の出力端子と前記第１整流素子との間に電気的に接続され、前記第１光源に流れる電流を検出する電流検出部を備え、
前記第２電流制御部は、前記電流検出部による検出電流が前記第２規定値と一致するように、前記第１光源に流れる電流を制御するように構成されることを特徴とする請求項１記載の点灯装置。
【請求項３】
前記第２電流制御部は、前記一対の出力端子間から出力される脈流電圧の大きさに応じて前記第１光源に流す電流を増減するように構成されることを特徴とする請求項１又は２記載の点灯装置。
【請求項４】
１乃至複数の光源と、請求項１〜３の何れか１項に記載の点灯装置とを備え、
前記１乃至複数の光源のうち１つの光源は、互いに直列かつ電気的に接続された第１光源及び第２光源からなり、
前記第１光源及び前記第２光源は、それぞれ１乃至複数個の固体発光素子で構成されることを特徴とする照明装置。
【請求項５】
前記第１光源は、前記第２光源よりも順方向電圧が低くなるように構成されることを特徴とする請求項４記載の照明装置。
【請求項６】
請求項４又は５記載の照明装置と、前記照明装置を保持する器具本体とを備えることを特徴とする照明器具。
【発明の詳細な説明】
【技術分野】
【０００１】
本発明は、固体発光素子を点灯する点灯装置、及び当該点灯装置と固体発光素子からなる光源とを有する照明装置、並びに当該照明装置を備えた照明器具に関する。
【背景技術】
【０００２】
点灯装置の従来例として、特許文献１記載の発光ダイオード駆動装置を例示する。この発光ダイオード駆動装置（以下、従来例と呼ぶ。）は、整流回路と、ＬＥＤ部と、コンデンサ充電用定電流回路（充電回路）と、コンデンサ放電用定電流回路（放電回路）と、充電用ダイオードと、放電用ダイオードと、充放電コンデンサとを備える。
【０００３】
この従来例は、例えば、実効値１００ボルトの交流電源に電気的に接続され、交流電源の交流電圧を整流回路で整流して、ピーク値が約１４１ボルトの脈流電圧を得るように構成される。
【０００４】
整流回路は、高電位側の出力端子が充放電コンデンサの一端と放電回路の一端とに電気的に接続され、低電位側の出力端子がグランドに電気的に接続される。充放電コンデンサの他端は、充電用ダイオードのアノードと放電用ダイオードのカソードとに電気的に接続される。
【０００５】
充電用ダイオードのカソードは、放電回路の他端とＬＥＤ部のアノード側の端子とに電気的に接続される。ＬＥＤ部のカソード側の端子は、放電用ダイオードのアノードと充電回路の一端とに電気的に接続される。充電回路の他端は、グランドに電気的に接続される。
【０００６】
次に、この従来例の動作について説明する。
【０００７】
まず、充放電コンデンサへの充電は、交流電源の電源電圧が高い期間に行われる。充電電流は、整流回路→充放電コンデンサ→充電用ダイオード→ＬＥＤ部→充電回路の経路（以下、充電経路と呼ぶ。）に流れて充放電コンデンサを充電する。また、充電電流は、充電回路によって定電流に制御される。
【０００８】
このとき、ＬＥＤ部と充放電コンデンサとが直列に接続され、ＬＥＤ部の順方向電圧が低く、電源電圧との電位差が大きくても、充放電コンデンサの充電電圧によって充電回路の損失が緩和される。また、充放電コンデンサの充電電圧は、充電終了時の電源電圧からＬＥＤ部の順方向電圧を差し引いた電圧となる。充電が終了すると、充電回路に流れる電流が急激に少なくなり、これを検出した信号により放電回路が動作を開始する。
【０００９】
充放電コンデンサからの放電は、交流電源の電源電圧が低い期間に行われる。放電電流は、充放電コンデンサ→放電回路→ＬＥＤ部→放電用ダイオード→充放電コンデンサの経路（以下、放電経路と呼ぶ。）に流れる。また、放電電流は、放電回路によって定電流に制御される。
【００１０】
ここで、充電期間から放電期間に移行するまでに、充放電コンデンサの両端電圧（充電電圧）よりも電源電圧の方が高い期間が存在する。この期間（以下、過渡期間と呼ぶ。）内においては、整流回路→放電回路→ＬＥＤ部→充電回路の経路（以下、過渡経路と呼ぶ。）に電流が流れる。また、この電流（以下、過渡電流と呼ぶ。）は、放電回路と充電回路で設定された電流の何れか小さい方の電流（例えば、放電回路の電流）に定電流制御される。
【００１１】
上述のように従来例によれば、交流電源から供給される交流電力を直流電力に変換することなく、整流回路で整流した脈流電圧でＬＥＤ部を直接駆動（点灯）することができる。しかも、この従来例は、脈流電圧が高い期間においてはＬＥＤ部と充放電コンデンサとを直列に接続してＬＥＤ部の点灯と充放電コンデンサの充電とを同時に行い、脈流電圧が低い期間においては充放電コンデンサを放電させてＬＥＤ部を点灯させることができる。
【００１２】
その結果、電源電圧の１周期内で光源（ＬＥＤ部）が消灯する期間がなくなるので、ちらつきを抑制することができる。
【先行技術文献】
【特許文献】
【００１３】
【特許文献１】特開２０１２−２４４１３７号公報
【発明の概要】
【発明が解決しようとする課題】
【００１４】
ところで、上述の特許文献１記載の従来例では、過渡期間における過渡電流が充電回路と放電回路の両方を流れ、充電回路と放電回路のそれぞれで損失が生じてしまうため、効率が低下するという問題があった。
【００１５】
本発明は上記問題点に鑑みてなされており、従来例と比較して効率を向上させた点灯装置、照明装置及び照明器具を提供することを目的とする。
【課題を解決するための手段】
【００１６】
本発明の点灯装置は、整流部と、第１電流制御部と、第２電流制御部と、蓄電素子と、充電電流制御部と、第１整流素子と、第２整流素子と、第３整流素子と、第４整流素子とを備え、前記整流部は、一対の入力端子間に入力される正弦波の交流電圧を整流し、一対の出力端子間から脈流電圧を出力するように構成され、前記第１電流制御部は、前記第１整流素子を介して前記一対の出力端子間に光源と直列かつ電気的に接続され、前記光源に流れる電流が第１規定値を超えないように前記電流を制御するように構成され、前記充電電流制御部は、前記第２整流素子を介して前記第１電流制御部の両端間に前記蓄電素子と直列かつ電気的に接続され、前記蓄電素子に流れる充電電流を制御するように構成され、前記第２整流素子は、前記光源を介し、かつ前記第１電流制御部を介さずに前記蓄電素子に前記充電電流を流すように構成され、前記第３整流素子及び前記第４整流素子は、前記蓄電素子及び前記充電電流制御部の直列回路に直列かつ電気的に接続され、前記蓄電素子から放電される放電電流を前記光源に流すように構成され、前記光源は、互いに直列かつ電気的に接続された第１光源及び第２光源からなり、前記第２電流制御部は、一端が前記第１光源と前記第２光源との接続点に電気的に接続され、他端が前記一対の出力端子のうち低電位側の出力端子と前記第１整流素子との間に電気的に接続され、前記第１光源に流れる電流が第２規定値を超えないように前記電流を制御するように構成されることを特徴とする。
【００１７】
本発明の照明装置は、１乃至複数の光源と、上述の点灯装置とを備え、前記１乃至複数の光源のうち１つの光源は、互いに直列かつ電気的に接続された第１光源及び第２光源からなり、前記第１光源及び前記第２光源は、それぞれ１乃至複数個の固体発光素子で構成されることを特徴とする。
【００１８】
本発明の照明器具は、上述の照明装置と、前記照明装置を保持する器具本体とを備えることを特徴とする。
【発明の効果】
【００１９】
本発明の点灯装置は、従来例と比較して効率を向上させることができる。
【００２０】
本発明の照明装置は、従来例と比較して効率を向上させることができる。
【００２１】
本発明の照明器具は、従来例と比較して効率を向上させることができる。
【図面の簡単な説明】
【００２２】
【図１】本発明の実施形態に係る点灯装置及び照明装置のブロック図である。
【図２】本発明の実施形態に係る点灯装置及び照明装置の回路構成図である。
【図３】図３Ａ〜図３Ｅは本発明の実施形態に係る点灯装置及び照明装置の動作説明用のブロック図である。
【図４】本発明の実施形態に係る点灯装置及び照明装置の整流部から出力される脈流電圧の波形図である。
【図５】本発明の実施形態に係る点灯装置及び照明装置の動作説明用のタイムチャートである。
【図６】本発明の実施形態に係る点灯装置及び照明装置の構造を示す斜視図である。
【図７】図７Ａ〜図７Ｃは本発明の実施形態に係る照明器具の斜視図である。
【発明を実施するための形態】
【００２３】
本発明の実施形態に係る点灯装置１、照明装置６及び照明器具７Ａ〜７Ｃについて、図面を参照しながら具体的に説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００２４】
本実施形態の照明装置６は、図１に示すように、点灯装置１と、光源（第１光源２Ａ及び第２光源２Ｂ）とを備える。また、照明装置６は、第３光源２Ｃ（光源）をさらに備えるのが好ましい。
【００２５】
点灯装置１は、整流部１０と、第１電流制御部１１と、第２電流制御部１２と、コンデンサＣ０（蓄電素子）と、充電電流制御部１４と、第１整流素子Ｄ１と、第２整流素子Ｄ２と、第３整流素子Ｄ３と、第４整流素子Ｄ４とを備える。また、点灯装置１は、第３電流制御部１３と、第５整流素子Ｄ５とをさらに備えるのが好ましい。
【００２６】
なお、本実施形態では、第１〜第５整流素子Ｄ１〜Ｄ５をダイオードで構成するが、第１〜第５整流素子Ｄ１〜Ｄ５はダイオードに限定されない。
【００２７】
整流部１０は、図２に示すように、４つのダイオードＤ７〜Ｄ１０で構成されるダイオードブリッジからなり、一対の入力端子１００Ａ、１００Ｂと、一対の出力端子１０１Ａ、１０１Ｂとを有する。一対の入力端子１００Ａ、１００Ｂ間には、ヒューズ４を介して交流電源３が電気的に接続される。なお、整流部１０の入力端子１００Ａ、１００Ｂ間に、バリスタなどのサージ吸収素子５が電気的に接続されるのが好ましい。
【００２８】
交流電源３は、例えば実効値が１００Ｖ（ボルト）の正弦波の交流電圧を供給する。したがって、整流部１０の出力端子１０１Ａ、１０１Ｂ間からは、最大値（ピーク値）が１００×√２≒１４１Ｖの正弦波の脈流電圧が出力される。なお、整流部１０は、一方の出力端子１０１Ｂに対して、他方の出力端子１０１Ａが高電位となるように構成されるのが好ましい。
【００２９】
第１光源２Ａは、図２に示すように、複数個（図２では４個）のＬＥＤ２０Ａの直列回路と、この直列回路に並列かつ電気的に接続される平滑コンデンサＣ１とを有する。第１光源２Ａは、正極と負極の２つの端子を有し、負極に対する正極の電位が基準電圧Ｖｆ１以上であるときにＬＥＤ２０Ａに電流が流れて発光（点灯）するように構成される。
【００３０】
なお、本実施形態では、ＬＥＤ２０ＡをＳＭＤ（Surface Mount Device）型のＬＥＤで構成するが、ＣＯＢ（Chip On Board）型のＬＥＤであってもよい。また、後述するＬＥＤ２０Ｂ、ＬＥＤ２０Ｃについても同様である。
【００３１】
第２光源２Ｂは、第１光源２Ａと同様に、複数個（図２では５個）のＬＥＤ２０Ｂの直列回路と、この直列回路に並列かつ電気的に接続される平滑コンデンサＣ２とを有する。第２光源２Ｂは、正極と負極の２つの端子を有し、負極に対する正極の電位が基準電圧Ｖｆ２以上であるときにＬＥＤ２０Ｂに電流が流れて発光（点灯）するように構成される。
【００３２】
第３光源２Ｃは、第１光源２Ａと同様に、複数個（図２では３個）のＬＥＤ２０Ｃの直列回路と、この直列回路に並列かつ電気的に接続される平滑コンデンサＣ３とを有する。第３光源２Ｃは、正極と負極の２つの端子を有し、負極に対する正極の電位が基準電圧Ｖｆ３以上であるときにＬＥＤ２０Ｃに電流が流れて発光（点灯）するように構成される。
【００３３】
なお、第１光源２Ａの基準電圧Ｖｆ１は、直列回路を構成するＬＥＤ２０Ａの順方向電圧の総和に等しい。また、第２光源２Ｂの基準電圧Ｖｆ２は、直列回路を構成するＬＥＤ２０Ｂの順方向電圧の総和に等しい。本実施形態において、第１光源２Ａ及び第２光源２Ｂは互いに直列かつ電気的に接続されていることから、２つの基準電圧Ｖｆ１、Ｖｆ２の和が、脈流電圧の最大値の半分以下、例えば６０Ｖに設定されるのが好ましい。
【００３４】
つまり、第１光源２Ａは、（ＬＥＤ２０Ａの１個あたりの順方向電圧×ｋ個）＋（ＬＥＤ２０Ｂの１個あたりの順方向電圧×ｍ個）≦６０Ｖの関係を満足するｋ個（ｋは自然数）のＬＥＤ２０Ａを有する。また、第２光源２Ｂは、（ＬＥＤ２０Ａの１個あたりの順方向電圧×ｋ個）＋（ＬＥＤ２０Ｂの１個あたりの順方向電圧×ｍ個）≦６０Ｖの関係を満足するｍ個（ｍは自然数）のＬＥＤ２０Ｂを有する。
【００３５】
また、第３光源２Ｃの基準電圧Ｖｆ３は、直列回路を構成するＬＥＤ２０Ｃの順方向電圧の総和に等しい。本実施形態において、基準電圧Ｖｆ３は、第１光源２Ａの基準電圧Ｖｆ１と第２光源２Ｂの基準電圧Ｖｆ２との和の半分以下、例えば２４Ｖに設定されるのが好ましい。
【００３６】
つまり、第３光源２Ｃは、ＬＥＤ２０Ｃの１個あたりの順方向電圧×ｎ個≦２４Ｖの関係を満足するｎ個（ｎは自然数）のＬＥＤ２０Ｃの直列回路を有する。
【００３７】
なお、第１光源２Ａの基準電圧Ｖｆ１及び第２光源２Ｂの基準電圧Ｖｆ２は、交流電源３の電源電圧の低下を考慮して設定するのが好ましく、例えば順方向電圧が６．２ＶのＬＥＤ２０Ａ、２０Ｂを用いた場合には、Ｖｆ１＋Ｖｆ２≒５６Ｖ（＜６０Ｖ）となる。
【００３８】
ここで、整流部１０から出力される脈流電圧が第１光源２Ａの基準電圧Ｖｆ１以下になると、第１光源２Ａに電流が流れなくなるため、第１光源２Ａに電流が流れない区間をなくすためには基準電圧Ｖｆ１を小さくするのが好ましい。
【００３９】
しかしながら、基準電圧Ｖｆ１を小さくすると回路ロスが増加するため、第１光源２Ａの基準電圧Ｖｆ１と第２光源２Ｂの基準電圧Ｖｆ２との電圧比は１：１付近に設定するのが好ましい。したがって、本実施形態では、第１光源２ＡのＬＥＤ２０Ａを４個、第２光源２ＢのＬＥＤ２０Ｂを５個にしている。つまり、本実施形態では、上述のｋ＝４、ｍ＝５となる。
【００４０】
また、第３光源２Ｃの基準電圧Ｖｆ３は、第１光源２Ａの基準電圧Ｖｆ１と第２光源２Ｂの基準電圧Ｖｆ２との和の１０％〜７０％に設定するのが好ましい。特に、発光効率を考慮した場合には、２つの基準電圧Ｖｆ１、Ｖｆ２の和の３０％〜４０％に設定するのが最も効果的であり、例えば順方向電圧が６．２ＶのＬＥＤ２０Ｃを用いた場合には、Ｖｆ３≒１９Ｖとなる。つまり、本実施形態では、上述のｎ＝３となる。
【００４１】
平滑コンデンサＣ１は、例えばアルミ電解コンデンサ又は積層セラミックコンデンサからなり、ＬＥＤ２０Ａの直列回路にかかるサージ電圧などを抑制する。後述するように、第１光源２Ａには、脈流電圧の１周期（交流電源３の電源電圧の半周期に等しい周期。以下、同じ。）における全域で電流Ｉｆ１が流れる。したがって、平滑コンデンサＣ１の静電容量は、例えば０．１〜１μＦ（マイクロ・ファラッド）程度の小さな値でよい。
【００４２】
ただし、本実施形態では、後述する第４モードにおいて第２電流制御部１２による電流がコンデンサＣ０の放電電流に重畳されるため、平滑コンデンサＣ１の静電容量は、例えば２２０μＦ程度の大きな値に設定するのがよい。
【００４３】
平滑コンデンサＣ２は、例えば積層セラミックコンデンサからなり、ＬＥＤ２０Ｂの直列回路にかかるサージ電圧などを抑制する。後述するように、第２光源２Ｂには、脈流電圧の１周期における全域で電流Ｉｆ２が流れる。したがって、平滑コンデンサＣ２の静電容量は、例えば０．１〜１μＦ程度の小さな値でよい。ただし、交流電源３の急激な電圧変動に対しても平滑する必要がある場合には、平滑コンデンサＣ２の静電容量を大きな値に設定してもよい。
【００４４】
平滑コンデンサＣ３は、例えば積層セラミックコンデンサからなり、ＬＥＤ２０Ｃの直列回路にかかるサージ電圧などを抑制する。この平滑コンデンサＣ３の静電容量は、例えば０．１〜１μＦ程度の小さな値でよい。ただし、後述する第２モード以外では電流Ｉｆ３が流れないため、光リップル（光のちらつき）を低減する必要がある場合には、平滑コンデンサＣ３の静電容量を大きい値に設定するのがよい。
【００４５】
例えば、第３電流制御部１３を構成するトランジスタＭ３のドレイン電流を０．１Ａに設定した場合、第３光源２Ｃの等価抵抗値はＶｆ３／０．１Ａ＝１９０Ωとなる。そして、平滑コンデンサＣ３の静電容量を２２０μＦとした場合には、第３光源２Ｃの時定数は１９０×２２０／１０００＝４１．８ｍｓとなり、第２モードの期間は約３ｍｓ程度であることから、平滑効果がある。
【００４６】
第１電流制御部１１は、トランジスタＭ１及びシャントレギュレータＵ１を用いた定電流回路で構成される（図２参照）。トランジスタＭ１は、例えばｎチャネル型のＭＯＳＦＥＴ（metal-oxide-semiconductor field-effect transistor）で構成される。なお、トランジスタＭ１は、ＰＮＰ型のバイポーラトランジスタで構成してもよい。
【００４７】
このトランジスタＭ１は、ドレインが第２光源２Ｂの負極に電気的に接続され、ソースが抵抗Ｒ１に電気的に接続される。また、トランジスタＭ１は、ゲートが２つの抵抗Ｒ１１、Ｒ１２の直列回路の接続点に電気的に接続される。
【００４８】
シャントレギュレータＵ１は、カソードが抵抗Ｒ１２の一端とコンデンサＣ１１の一端とに電気的に接続され、アノードが抵抗Ｒ１の一端と第１整流素子Ｄ１のアノードとに電気的に接続される。また、シャントレギュレータＵ１は、リファレンス端子がコンデンサＣ１１の他端と抵抗Ｒ１３の一端とに電気的に接続される。抵抗Ｒ１３の他端は、抵抗Ｒ１の他端に電気的に接続される。
【００４９】
抵抗Ｒ１１は、トランジスタＭ１のゲートをバイアスするための抵抗である。抵抗Ｒ１１の一端は、第１光源２Ａの負極と第２光源２Ｂの正極とに電気的に接続される。
【００５０】
また、トランジスタＭ１のゲートには、ツェナーダイオードＺＤ１１のカソードが電気的に接続され、ツェナーダイオードＺＤ１１のアノードはツェナーダイオードＺＤ１２のアノードに電気的に接続される。さらに、ツェナーダイオードＺＤ１２のカソードは、トランジスタＭ１のソースに電気的に接続される。これらのツェナーダイオードＺＤ１１、ＺＤ１２は、サージなどによってトランジスタＭ１のゲート膜が破壊されるのを防止する。
【００５１】
ここで、抵抗Ｒ１３及びコンデンサＣ１１は、シャントレギュレータＵ１の発振を抑制するための位相補償回路を構成する。この位相補償回路では、シャントレギュレータＵ１の遮断周波数が１００ｋＨｚ以下となるように、例えば抵抗Ｒ１３の抵抗値を２ｋΩ、コンデンサＣ１１の静電容量を１ｎＦに設定している。その結果、シャントレギュレータＵ１の遮断周波数を８０ｋＨｚにすることができる。
【００５２】
この第１電流制御部１１は、抵抗Ｒ１の両端に発生する電圧（電圧降下）と、シャントレギュレータＵ１の基準電圧とを一致させるように、カソード電流（ゲート電圧）を増減してトランジスタＭ１のドレイン電流を制御（定電流化）する。シャントレギュレータＵ１の基準電圧は、例えば１．２４Ｖである。抵抗Ｒ１の抵抗値を１２、４Ωとすると、シャントレギュレータＵ１は、抵抗Ｒ１の両端電圧が１．２４Ｖとなる電流（＝１００ｍＡ）を流すようにトランジスタＭ１を制御する。
【００５３】
第３電流制御部１３は、第１電流制御部１１と同様に、トランジスタＭ３及びシャントレギュレータＵ３を用いた定電流回路で構成される（図２参照）。なお、第３電流制御部１３の回路構成は、各素子に付している符号が異なる点を除いて第１電流制御部１１と共通である。したがって、第３電流制御部１３の詳細な説明については省略する。
【００５４】
また、充電電流制御部１４も、第１電流制御部１１と同様に、トランジスタＭ４及びシャントレギュレータＵ４を用いた定電流回路で構成される（図２参照）。なお、充電電流制御部１４の回路構成は、各素子に付している符号が異なる点を除いて第１電流制御部１１と共通である。したがって、充電電流制御部１４の詳細な説明についても省略する。
【００５５】
なお、トランジスタＭ３、Ｍ４に流す電流については、トランジスタＭ１と同じ電流を流すように構成してもよいが、交流電源３の電源電圧に比例するようにしてトランジスタＭ３、Ｍ４に流す電流を設定してもよい。これにより、電源ラインによって伝搬されるノイズを抑制したり、力率改善を図ったりすることができる。
【００５６】
第２電流制御部１２は、トランジスタＭ２及びオペアンプＯＰ１を用いた定電流回路で構成される（図２参照）。トランジスタＭ２は、ドレインが第１光源２Ａの負極と第２光源２Ｂの正極とに電気的に接続され、ソースが抵抗Ｒ２（電流検出部）に電気的に接続される。また、トランジスタＭ２は、ゲートがオペアンプＯＰ１の出力端子に電気的に接続される。
【００５７】
オペアンプＯＰ１の非反転入力端子には、３つの抵抗Ｒ２１、Ｒ２２、Ｒ２３の直列回路における抵抗Ｒ２２、Ｒ２３の接続点とコンデンサＣ２２の一端とが電気的に接続され、コンデンサＣ２２の他端は抵抗Ｒ２の一端に電気的に接続される。抵抗Ｒ２の他端は、トランジスタＭ２のソースと第１整流素子Ｄ１のカソードとに電気的に接続される。
【００５８】
オペアンプＯＰ１の反転入力端子には、抵抗Ｒ２４の一端が電気的に接続され、抵抗Ｒ２４の他端はトランジスタＭ２のソースに電気的に接続される。また、オペアンプＯＰ１の反転入力端子と出力端子との間には、コンデンサＣ２１が電気的に接続される。
【００５９】
抵抗Ｒ２１、Ｒ２２の接続点と整流部１０の出力端子１０１Ｂとの間には、ツェナーダイオードＺＤ２１が電気的に接続される。このツェナーダイオードＺＤ２１によって、オペアンプＯＰ１の非反転入力端子への印加電圧が制限される。また、コンデンサＣ２２は、オペアンプＯＰ１の非反転入力端子への印加電圧が急峻に変化するのを防止する。
【００６０】
この第２電流制御部１２では、整流部１０から出力される脈流電圧が３つの抵抗Ｒ２１、Ｒ２２、Ｒ２３により分圧され、オペアンプＯＰ１の非反転入力端子に入力される。整流部１０から出力される脈流電圧をＶｉｎとし、抵抗Ｒ２１、Ｒ２２、Ｒ２３の抵抗値をそれぞれｒ２１、ｒ２２、ｒ２３とすると、非反転入力端子に入力される電圧は、Ｖｉｎ×（ｒ２３／（ｒ２１＋ｒ２２＋ｒ２３））となる。
【００６１】
そして、抵抗Ｒ２の両端に発生する電圧（電圧降下）と、オペアンプＯＰ１の基準電圧とを一致させるように、トランジスタＭ２のゲート電圧を増減してドレイン電流を制御（定電流化）する。なお、コンデンサＣ２１及び抵抗Ｒ２４は、オペアンプＯＰ１の発振を抑制するための位相補償回路を構成する。ここに、第２規定値は、抵抗Ｒ２の両端電圧がオペアンプＯＰ１の基準電圧となるときの電流値である。
【００６２】
なお、第１電流制御部１１のトランジスタＭ１、第２電流制御部１２のトランジスタＭ２、第３電流制御部１３のトランジスタＭ３及び充電電流制御部１４のトランジスタＭ４は、同一特性の素子を用いるのが好ましい。
【００６３】
整流部１０の出力端子１０１Ａ、１０１Ｂ間には、第１光源２Ａと第２電流制御部１２の直列回路が電気的に接続される。また、第２電流制御部１２に対して、第２光源２Ｂと第１電流制御部１１の直列回路が並列かつ電気的に接続される。さらに、第１電流制御部１１に対して、第３光源２Ｃと第３電流制御部１３の直列回路が並列かつ電気的に接続される。
【００６４】
なお、第３光源２Ｃと第３電流制御部１３の直列回路に対して第６整流素子Ｄ６が直列かつ電気的に接続されるのが好ましい。第６整流素子Ｄ６は、第３光源２Ｃの平滑コンデンサＣ３に蓄積される電荷が、トランジスタＭ３の寄生ダイオードを経由して放電されることを阻止するために設けられる。
【００６５】
すなわち、トランジスタＭ３のソース・ドレイン間の電圧が平滑コンデンサＣ３の両端電圧よりも低くなると、平滑コンデンサＣ３の充電電荷が、トランジスタＭ１から抵抗Ｒ３及びトランジスタＭ３の寄生ダイオードを介して放電されることがある。したがって、トランジスタＭ３にＭＯＳＦＥＴを使用する場合には、上述の放電経路中のどこかに第６整流素子Ｄ６を挿入するのが好ましい。
【００６６】
さらに、第１電流制御部１１に対して、第２整流素子Ｄ２を介して、コンデンサＣ０と充電電流制御部１４と第５整流素子Ｄ５の直列回路が並列かつ電気的に接続される。つまり、充電電流制御部１４の抵抗Ｒ４と、第５整流素子Ｄ５と、第３電流制御部１３の抵抗Ｒ３と、第１電流制御部１１の抵抗Ｒ１と、第１整流素子Ｄ１と、第２電流制御部１２の抵抗Ｒ２とが、整流部１０の出力端子１０１Ｂに直列かつ電気的に接続される。
【００６７】
また、第２整流素子Ｄ２のカソードとコンデンサＣ０の接続点には、第３整流素子Ｄ３のアノードが電気的に接続され、第３整流素子Ｄ３のカソードが整流部１０の出力端子１０１Ａに電気的に接続される。さらに、トランジスタＭ４のソースと抵抗Ｒ４の接続点には、第４整流素子Ｄ４のカソードが電気的に接続され、第４整流素子Ｄ４のアノードがシャントレギュレータＵ１のアノードと抵抗Ｒ１の接続点に電気的に接続される。
【００６８】
また、シャントレギュレータＵ１のアノードと抵抗Ｒ１の接続点には、第１整流素子Ｄ１のアノードが電気的に接続され、第１整流素子Ｄ１のカソードがトランジスタＭ２のソースと抵抗Ｒ２の接続点に電気的に接続される。
【００６９】
コンデンサＣ０には、脈流電圧の最大値と、第１光源２Ａの基準電圧Ｖｆ１及び第２光源２Ｂの基準電圧Ｖｆ２との差分（≒１４１−５６＝８５Ｖ）の電圧以下の電圧が印加される。したがって、コンデンサＣ０には、耐圧１００Ｖ以上のアルミ電界コンデンサ又は積層セラミックコンデンサを用いるのが好ましい。
【００７０】
ところで、第１電流制御部１１、第２電流制御部１２、第３電流制御部１３及び充電電流制御部１４は、以下に示すように互いに影響を及ぼし合って動作する。
【００７１】
第１電流制御部１１の抵抗Ｒ１には、第１電流制御部１１の出力電流だけでなく、第３電流制御部１３及び充電電流制御部１４の出力電流も流れる。したがって、第３電流制御部１３又は充電電流制御部１４の出力電流が増加して抵抗Ｒ１の両端電圧が上昇することにより、第１電流制御部１１の出力電流が減少する。さらに、第３電流制御部１３又は充電電流制御部１４の出力電流による抵抗Ｒ１の電圧降下（両端電圧）がシャントレギュレータＵ１の基準電圧に達すると、第１電流制御部１１が停止する。
【００７２】
同様に、第２電流制御部１２の抵抗Ｒ２には、第２電流制御部１２の出力電流だけでなく、第１電流制御部１１、第３電流制御部１３及び充電電流制御部１４の出力電流も流れる。したがって、第１電流制御部１１、第３電流制御部１３又は充電電流制御部１４の出力電流が増加して抵抗Ｒ２の両端電圧が上昇することにより、第２電流制御部１２の出力電流が減少する。さらに、第１電流制御部１１、第３電流制御部１３又は充電電流制御部１４の出力電流による抵抗Ｒ２の電圧降下（両端電圧）がオペアンプＯＰ１の基準電圧に達すると、第２電流制御部１２が停止する。
【００７３】
同様に、第３電流制御部１３の抵抗Ｒ３には、第３電流制御部１３の出力電流だけでなく、充電電流制御部１４の出力電流も流れる。したがって、充電電流制御部１４の出力電流が増加して抵抗Ｒ３の両端電圧が上昇することにより、第３電流制御部１３の出力電流が減少する。さらに、充電電流制御部１４の出力電流による抵抗Ｒ３の電圧降下（両端電圧）がシャントレギュレータＵ３の基準電圧に達すると、第３電流制御部１３が停止する。
【００７４】
次に、図３Ａ〜図３Ｅのブロック図と、図４の波形図と、図５のタイムチャートとを参照して、本実施形態の点灯装置１（照明装置６）の動作を説明する。本実施形態の点灯装置１には、５つの動作モード（第１モード〜第５モード）が存在する。
【００７５】
第１モードは、整流部１０の出力電圧（脈流電圧）が２つの基準電圧Ｖｆ１、Ｖｆ２の和以上で、かつ、３つの基準電圧Ｖｆ１、Ｖｆ２、Ｖｆ３の和より小さいときの動作モードである。この第１モードでは、図３Ａの実線ａ１で示すように、整流部１０→第１光源２Ａ→第２光源２Ｂ→第１電流制御部１１→第１整流素子Ｄ１→整流部１０の経路で電流Ｉｆ２が流れる。そして、この電流Ｉｆ２により、第１光源２Ａ及び第２光源２Ｂが点灯する。
【００７６】
第２モードは、整流部１０の出力電圧が３つの基準電圧Ｖｆ１、Ｖｆ２、Ｖｆ３の和以上で、かつ、２つの基準電圧Ｖｆ１、Ｖｆ２とコンデンサＣ０の両端電圧ＶＣ０の和よりも小さいときの動作モードである。この第２モードでは、図３Ｂの実線ａ２で示すように、整流部１０→第１光源２Ａ→第２光源２Ｂ→第３光源２Ｃ→第３電流制御部１３→第１整流素子Ｄ１→整流部１０の経路で電流Ｉｆ３が流れる。そして、この電流Ｉｆ３により、第１光源２Ａ、第２光源２Ｂ及び第３光源２Ｃが点灯し、平滑コンデンサＣ３が充電される。
【００７７】
第３モードは、整流部１０の出力電圧が２つの基準電圧Ｖｆ１、Ｖｆ２とコンデンサＣ０の両端電圧ＶＣ０の和以上の動作モードである。この第３モードでは、図３Ｃの実線ａ３で示すように、整流部１０→第１光源２Ａ→第２光源２Ｂ→第２整流素子Ｄ２→コンデンサＣ０→充電電流制御部１４→第５整流素子Ｄ５→第１整流素子Ｄ１→整流部１０の経路で充電電流が流れる。そして、この充電電流により、第１光源２Ａ及び第２光源２Ｂが点灯し、コンデンサＣ０が充電される。
【００７８】
第４モードは、整流部１０の出力電圧が基準電圧Ｖｆ１以上で、かつ、２つの基準電圧Ｖｆ１、Ｖｆ２の和より小さいときの動作モードである。この第４モードでは、図３Ｄの実線ａ５で示すように、コンデンサＣ０→第３整流素子Ｄ３→第１光源２Ａ→第２光源２Ｂ→第１電流制御部１１→第４整流素子Ｄ４→充電電流制御部１４→コンデンサＣ０の経路で放電電流が流れる。そして、この放電電流により、第１光源２Ａ及び第２光源２Ｂが点灯する。
【００７９】
このとき、整流部１０の出力電圧が基準電圧Ｖｆ１以上であるため、図３Ｄの実線ａ４で示すように、整流部１０→第１光源２Ａ→第２電流制御部１２→整流部１０の経路で電流Ｉｆ１が流れる。つまり、この第４モードでは、コンデンサＣ０の放電電流と第２電流制御部１２による電流Ｉｆ１とが第１光源２Ａに流れることになり、第１光源２Ａの発光量が増加する。
【００８０】
またこのとき、第２電流制御部１２により第１光源２Ａに電流Ｉｆ１が流れると、抵抗Ｒ２の両端電圧が上昇し、これにより第１整流素子Ｄ１のカソードの電位がアノードよりも高くなる。その結果、第１整流素子Ｄ１によって、第１電流制御部１１、第３電流制御部１３及び充電電流制御部１４のグランドと第２電流制御部１２のグランドとが分離される。なお、第１整流素子Ｄ１のアノード−カソード間の電位差は、コンデンサＣ０の充電電圧であり、本実施形態では、例えば７０Ｖ程度になる。
【００８１】
第５モードは、整流部１０の出力電圧が基準電圧Ｖｆ１よりも小さいときの動作モードである。この第５モードでは、図３Ｅの実線ａ６で示すように、コンデンサＣ０→第３整流素子Ｄ３→第１光源２Ａ→第２光源２Ｂ→第１電流制御部１１→第４整流素子Ｄ４→充電電流制御部１４→コンデンサＣ０の経路で放電電流が流れる。そして、この放電電流により、第１光源２Ａ及び第２光源２Ｂが点灯する。
【００８２】
なお、この第５モードでも、第１整流素子Ｄ１のカソードの電位がアノードよりも高くなっている。その結果、第１整流素子Ｄ１によって、第１電流制御部１１、第３電流制御部１３及び充電電流制御部１４のグランドと第２電流制御部１２のグランドとが分離される。
【００８３】
そして、本実施形態の点灯装置１は、整流部１０の出力電圧が０Ｖから最大値（１４１Ｖ）を経て０Ｖに戻る１周期において、第５モード→第４モード→第１モード→第２モード→第３モード→第２モード→第１モード→第４モード→第５モードの順番で動作する。
【００８４】
図４は、整流部から出力される脈流電圧の１周期分の波形を示している。また、図５は、本実施形態の点灯装置１が定常動作を行っているときの各部の電流を示している。
【００８５】
図５において、ＩＭ４は充電電流制御部１４のトランジスタＭ４のドレイン電流を示し、ＩＭ３は第３電流制御部１３のトランジスタＭ３のドレイン電流を示している。また、図５において、ＩＭ２は第２電流制御部１２のトランジスタＭ２のドレイン電流を示し、ＩＭ１は第１電流制御部１１のトランジスタＭ１のドレイン電流を示している。さらに、図５におけるＩｉｎは、整流部１０の出力端子１０１Ａ、１０１Ｂから流れ込む入力電流を示している。
【００８６】
時刻ｔ＝ｔ０は脈流電圧（交流電源３の電源電圧）のゼロクロス点であり、整流部１０の出力電圧（脈流電圧）が０Ｖとなる。このとき、整流部１０の出力電圧が基準電圧Ｖｆ１よりも小さいため、入力電流Ｉｉｎが流れず、点灯装置１が第５モードで動作する（図４及び図５の期間Ｔ１）。したがって、時刻ｔ＝ｔ０を含む期間Ｔ１では、コンデンサＣ０の放電電流により第１光源２Ａ及び第２光源２Ｂが点灯する。
【００８７】
整流部１０の出力電圧が上昇して基準電圧Ｖｆ１に達すると、点灯装置１が第４モードに移行し、引き続き第１光源２Ａ及び第２光源２Ｂが点灯する（図４及び図５の期間Ｔ２）。なお、期間Ｔ２では、コンデンサＣ０の放電電流に加えて第２電流制御部１２のドレイン電流ＩＭ２が第１光源２Ａに流れ、これにより第１光源２Ａは期間Ｔ１よりも明るく点灯する。
【００８８】
整流部１０の出力電圧が２つの基準電圧Ｖｆ１、Ｖｆ２の和に達すると、点灯装置１が第１モードに移行する（図４及び図５の期間Ｔ３）。期間Ｔ１では、整流部１０の出力電圧がコンデンサＣ０の両端電圧ＶＣ０よりも大きく、コンデンサＣ０は放電を停止する。また、期間Ｔ１では、第１電流制御部１１が動作することで第１光源２Ａ及び第２光源２Ｂが点灯する。このとき、第１電流制御部１１のドレイン電流ＩＭ１が第１整流素子Ｄ１を介して抵抗Ｒ２に流れ込むことで抵抗Ｒ２の両端電圧が上昇し、トランジスタＭ２がオフになる。
【００８９】
整流部１０の出力電圧が３つの基準電圧Ｖｆ１、Ｖｆ２、Ｖｆ３の和に達すると、点灯装置１が第２モードに移行する（図４及び図５の期間Ｔ４）。期間Ｔ４では、第３電流制御部１３が動作することで第１光源２Ａ、第２光源２Ｂ及び第３光源２Ｃが点灯する。このとき、第３電流制御部１３のドレイン電流ＩＭ３が抵抗Ｒ１に流れ込むことで抵抗Ｒ１の両端電圧が上昇し、トランジスタＭ１がオフになる。
【００９０】
整流部１０の出力電圧が２つの基準電圧Ｖｆ１、Ｖｆ２とコンデンサＣ０の両端電圧ＶＣ０の和に達すると、点灯装置１が第３モードに移行する（図４及び図５の期間Ｔ５）。期間Ｔ５では、充電電流制御部１４が動作することで第１光源２Ａ及び第２光源２Ｂが点灯し、かつコンデンサＣ０が充電される。このとき、充電電流制御部１４のドレイン電流ＩＭ４が第５整流素子Ｄ５を介して抵抗Ｒ３に流れ込むことで抵抗Ｒ３の両端電圧が上昇し、トランジスタＭ３がオフになる。
【００９１】
整流部１０の出力電圧が最大値を過ぎ、２つの基準電圧Ｖｆ１、Ｖｆ２とコンデンサＣ０の両端電圧ＶＣ０の和を下回ると、点灯装置１が第２モードに移行する（図４及び図５の期間Ｔ６）。期間Ｔ６では、コンデンサＣ０への充電が停止され、第３電流制御部１３が動作することで第１光源２Ａ、第２光源２Ｂ及び第３光源２Ｃが点灯する。また、期間Ｔ６では、コンデンサＣ０の両端電圧ＶＣ０は変化しない。なおこのとき、充電電流制御部１４のトランジスタＭ４はオン状態を維持する。
【００９２】
整流部１０の出力電圧が３つの基準電圧Ｖｆ１、Ｖｆ２、Ｖｆ３の和を下回ると、点灯装置１は第１モードに移行する（図４及び図５の期間Ｔ７）。期間Ｔ７では、第１電流制御部１１が動作することで第１光源２Ａ及び第２光源２Ｂが点灯する。なおこのとき、第３電流制御部１３のトランジスタＭ３及び充電電流制御部１４のトランジスタＭ４はオン状態を維持する。またこのとき、コンデンサＣ０の両端電圧ＶＣ０は変化しない。
【００９３】
整流部１０の出力電圧が２つの基準電圧Ｖｆ１、Ｖｆ２の和を下回ると、点灯装置１は第４モードに移行する（図４及び図５の期間Ｔ８）。このとき、コンデンサＣ０の放電電流により第２光源２Ｂが点灯し、かつ、コンデンサＣ０の放電電流と第２電流制御部１２のドレイン電流ＩＭ２により第１光源２Ａが点灯する。その結果、コンデンサＣ０の両端電圧ＶＣ０は放電に伴って低下する。
【００９４】
整流部１０の出力電圧が基準電圧Ｖｆ１を下回ると、点灯装置１は第５モードに移行する（図４及び図５の期間Ｔ９）。時刻ｔ＝ｔ１は時刻ｔ＝ｔ０と同じく脈流電圧のゼロクロス点であり、このときコンデンサＣ０の放電電流により第１光源２Ａ及び第２光源２Ｂが点灯する。
【００９５】
ここで、特許文献１記載の従来例では、過渡期間における過渡電流が充電回路と放電回路の両方を流れ、充電回路と放電回路のそれぞれで損失が生じ、その結果、効率が低下するという問題があった。
【００９６】
一方、本実施形態の点灯装置１は、上述のように、第１モードから第５モードの何れの動作モードにおいても、第１電流制御部１１（又は第２電流制御部１２、第３電流制御部１３）と充電電流制御部１４の何れか一方のみしか動作させないように構成される。つまり、本実施形態の点灯装置１は、第１電流制御部１１（又は第２電流制御部１２、第３電流制御部１３）と充電電流制御部１４とが同一の閉回路に含まれることがないので、特許文献１記載の従来例と比較して効率を向上させることができる。
【００９７】
また、本実施形態の点灯装置１は、第４モードにおいて、コンデンサＣ０の放電電流に加えてトランジスタＭ２のドレイン電流ＩＭ２を第１光源２Ａに流すように構成される。つまり、交流電源３の電源電圧が低い期間Ｔ２、Ｔ８であっても光出力を増加させることができ、これにより光リップルを低減することができる。さらに、本実施形態の点灯装置１では、上述のように、入力電流Ｉｉｎの休止期間（図５の期間Ｔ１、Ｔ９）が小さくなり、入力電流歪みを改善することもできる。
【００９８】
また、本実施形態の点灯装置１のように、第１光源２Ａの順方向電圧を第２光源２Ｂの順方向電圧よりも低くした場合には、整流部１０からの入力電流の休止期間を小さくしつつ、回路ロスの増加を抑えることができる。
【００９９】
ところで、上述の点灯装置１は、図６に示すように、複数の光源（第１光源２Ａ、第２光源２Ｂ及び第３光源２Ｃ）と一体に構成されてもよい。例えば、円板状に形成された実装基板１６の一面（実装面）の中央にＬＥＤ２０Ａ、２０Ｂ、２０Ｃを実装し、上記実装面におけるＬＥＤ２０Ａ、２０Ｂ、２０Ｃの周囲に、点灯装置１を構成する種々の回路部品を実装する。
【０１００】
このように、光源と点灯装置１とを１枚の実装基板１６に実装して照明装置６を構成することにより、光源と点灯装置１とを別体に構成する場合と比較して、照明装置６の小型化が可能になる。
【０１０１】
次に、本実施形態の照明器具７Ａ〜７Ｃについて、図７Ａ〜図７Ｃを参照しながら具体的に説明する。
【０１０２】
本実施形態の照明器具７Ａは、図７Ａに示すように、天井に埋込配設されるダウンライトであってもよい。この照明器具７Ａは、光源（第１光源２Ａ、第２光源２Ｂ及び第３光源２Ｃ）及び点灯装置１が収納される器具本体７０Ａと、反射板７１Ａとを備える。器具本体７０Ａの上部には、複数枚の放熱フィン７００が設けられている。また、器具本体７０Ａから導出する電源ケーブル７２Ａは、交流電源３に電気的に接続される。
【０１０３】
また、本実施形態の照明器具７Ｂ、７Ｃは、図７Ｂ及び図７Ｃに示すように、配線ダクト８に取り付けられるスポットライトであってもよい。図７Ｂに示す照明器具７Ｂは、光源（第１光源２Ａ、第２光源２Ｂ及び第３光源２Ｃ）及び点灯装置１が収納される器具本体７０Ｂと、反射板７１Ｂとを備える。また、照明器具７Ｂは、配線ダクト８に装着されるコネクタ部７２Ｂと、コネクタ部７２Ｂと器具本体７０Ｂとを結合するアーム部７３Ｂとを備える。コネクタ部７２Ｂは、電源ケーブル７４Ｂを介して点灯装置１に電気的に接続される。
【０１０４】
また、図７Ｃに示す照明器具７Ｃは、光源が収納される器具本体７０Ｃと、点灯装置１が収納されるボックス７１Ｃと、器具本体７０Ｃとボックス７１Ｃとを連結する連結部７２Ｃと、光源と点灯装置１とを電気的に接続する電源ケーブル７３Ｃとを備える。ボックス７１Ｃの天面には、配線ダクト８と着脱可能に電気的かつ機械的に接続されるコネクタ部７１０が設けられる。
【０１０５】
このように、上述の点灯装置１を用いることによって、従来例と比較して効率を向上させた照明器具７Ａ、７Ｂ、７Ｃを提供することができる。また、同様に、交流電源３の電源電圧が低い期間であっても光出力を増加させることができ、これにより光リップルを低減することができる。さらに、整流部１０からの入力電流Ｉｉｎの休止期間が小さくなり、入力電流歪みを改善することもできる。
【０１０６】
なお、本実施形態では、抵抗Ｒ２１、Ｒ２２、Ｒ２３の直列回路により整流部１０の出力電圧Ｖｉｎを検出したが、第１光源２Ａと第２光源２Ｂの接続点の電圧を検出してもよい。また、本実施形態では、コンデンサＣ０の放電時には充電電流制御部１４のトランジスタＭ４がオン状態であるため、第４整流素子Ｄ４のカソードをトランジスタＭ４のソースに接続したが、トランジスタＭ４を介さずにコンデンサＣ０の負極に接続してもよい。
【０１０７】
以上説明したように、本実施形態の点灯装置１は、整流部１０と、第１電流制御部１１と、第２電流制御部１２と、蓄電素子（コンデンサＣ０）と、充電電流制御部１４とを備える。また、点灯装置１は、第１整流素子Ｄ１と、第２整流素子Ｄ２と、第３整流素子Ｄ３と、第４整流素子Ｄ４とを備える。整流部１０は、一対の入力端子１００Ａ、１００Ｂ間に入力される正弦波の交流電圧を整流し、一対の出力端子１０１Ａ、１０１Ｂ間から脈流電圧を出力するように構成される。第１電流制御部１１は、第１整流素子Ｄ１を介して一対の出力端子１０１Ａ、１０１Ｂ間に光源（第１光源２Ａ及び第２光源２Ｂ）と直列かつ電気的に接続される。この第１電流制御部１１は、光源に流れる電流が第１規定値（例えば、１００ｍＡ）を超えないように前記電流を制御するように構成される。充電電流制御部１４は、第２整流素子Ｄ２を介して第１電流制御部１１の両端間に蓄電素子と直列かつ電気的に接続され、蓄電素子に流れる充電電流を制御するように構成される。第２整流素子Ｄ２は、光源を介し、かつ第１電流制御部１１を介さずに蓄電素子に充電電流を流すように構成される。第３整流素子Ｄ３及び第４整流素子Ｄ４は、蓄電素子及び充電電流制御部１４の直列回路に直列かつ電気的に接続され、蓄電素子から放電される放電電流を光源に流すように構成される。光源は、互いに直列かつ電気的に接続された第１光源２Ａ及び第２光源２Ｂからなる。第２電流制御部１２は、一端が第１光源２Ａと第２光源２Ｂとの接続点に電気的に接続され、他端が一対の出力端子１０１Ａ、１０１Ｂのうち低電位側の出力端子１０１Ｂと第１整流素子Ｄ１との間に電気的に接続される。この第２電流制御部１２は、第１光源２Ａに流れる電流が第２規定値を超えないように前記電流を制御するように構成される。
【０１０８】
本実施形態の点灯装置１は、上述のように、第１電流制御部１１と充電電流制御部１４とに同時に電流を流す期間を有しないように構成されるので、特許文献１記載の従来例と比較して効率を向上させることができる。また、蓄電素子の放電電流に加えて第２電流制御部１２による電流を第１光源２Ａに流すように構成されるので、電源電圧が低い区間であっても光出力を増加させることができ、これにより光リップルを低減することができる。
【０１０９】
また、本実施形態の点灯装置１のように、第２電流制御部１２は、第１光源２Ａに流れる電流を検出する電流検出部（抵抗Ｒ２）を備えるのが好ましい。電流検出部は、一対の出力端子１０１Ａ、１０１Ｂのうち低電位側の出力端子１０１Ｂと第１整流素子Ｄ１との間に電気的に接続される。この第２電流制御部１２は、電流検出部による検出電流が前記第２規定値と一致するように、第１光源２Ａに流れる電流を制御するように構成される。
【０１１０】
本実施形態の点灯装置１が上述のように構成されれば、フィードバック制御を行うことができる。
【０１１１】
また、本実施形態の点灯装置１のように、第２電流制御部１２は、一対の出力端子１０１Ａ、１０１Ｂ間から出力される脈流電圧の大きさに応じて第１光源２Ａに流す電流を増減するように構成されるのが好ましい。
【０１１２】
本実施形態の点灯装置１が上述のように構成されれば、一対の出力端子１０１Ａ、１０１Ｂから出力される脈流電圧の大きさに応じた点灯制御を行うことができる。
【０１１３】
本実施形態の照明装置６は、１乃至複数の光源（第１光源２Ａ、第２光源２Ｂ及び第３光源２Ｃ）と、上記何れかの点灯装置１とを備える。１乃至複数の光源のうち１つの光源は、互いに直列かつ電気的に接続された第１光源２Ａ及び第２光源２Ｂからなる。第１光源２Ａ及び第２光源２Ｂは、それぞれ１乃至複数個の固体発光素子（ＬＥＤ２０Ａ及びＬＥＤ２０Ｂ）で構成される。
【０１１４】
本実施形態の照明装置６は、上記何れかの点灯装置１を備えているので、従来例と比較して効率を向上させることができる。
【０１１５】
また、本実施形態の照明装置６のように、第１光源２Ａは、第２光源２Ｂよりも順方向電圧が低くなるように構成されるのが好ましい。
【０１１６】
本実施形態の照明装置６が上述のように構成されれば、整流部１０からの入力電流の休止期間を小さくしつつ、回路ロスの増加を抑えることができる。
【０１１７】
本実施形態の照明器具７Ａ、７Ｂ、７Ｃは、上記何れかの照明装置６と、照明装置６を保持する器具本体７０Ａ、７０Ｂ、７０Ｃとを備える。
【０１１８】
本実施形態の照明器具７Ａ、７Ｂ、７Ｃは、上記何れかの点灯装置１を備えているので、従来例と比較して効率を向上させることができる。
【符号の説明】
【０１１９】
１  点灯装置
２Ａ  第１光源（光源）
２Ｂ  第２光源（光源）
２Ｃ  第３光源（光源）
６  照明装置
７Ａ、７Ｂ、７Ｃ  照明器具
１０  整流部
１１  第１電流制御部
１２  第２電流制御部
１４  充電電流制御部
７０Ａ、７０Ｂ、７０Ｃ  器具本体
１００Ａ、１００Ｂ  入力端子
１０１Ａ、１０１Ｂ  出力端子
Ｃ０  コンデンサ（蓄電素子）
Ｄ１  第１整流素子
Ｄ２  第２整流素子
Ｄ３  第３整流素子
Ｄ４  第４整流素子
２０Ａ、２０Ｂ  ＬＥＤ（固体発光素子）
Ｒ２  抵抗（電流検出部）
【図１】
0006558679.tif 000002
【図２】
0006558679.tif 000003
【図３】
0006558679.tif 000004
【図４】
0006558679.tif 000005
【図５】
0006558679.tif 000006
【図６】
0006558679.tif 000007
【図７】
0006558679.tif 000008